(57)【要約】【課題】レンズ鏡筒の繰り出し操作を容易にし、新たな感触を得られるようにする。【解決手段】カメラ本体１０、レンズ鏡筒ＬＵ、レンズ鏡筒を光軸方向に往復動自在にガイドするガイド機構、撮影時にレンズ鏡筒を繰り出す繰出し機構を備えた繰出し機構付きカメラにおいて、繰出し機構３０として、カメラ本体の外部に少なくとも一部が露出して往復動自在に配置された押しボタン３１、押しボタンの押し込み動作に連動してレンズ鏡筒を繰り出し方向に押し出す揺動レバー３４、レンズ鏡筒に対して沈胴途中から沈胴方向に付勢力を及ぼしかつ繰り出し途中から繰り出し方向に付勢力を及ぼす付勢部材３５を採用する。これによれば、構造の簡素化等を達成しつつ、レンズ鏡筒を容易に繰り出させることができ、その繰り出し操作において新たな感触が得られる。【選択図】図７
2014056009.tif 000002
【特許請求の範囲】
【請求項１】
外輪郭を画定するカメラ本体と、前記カメラ本体に対してレンズの光軸方向に繰り出し及び沈胴自在に支持されたレンズ鏡筒と、撮影時に前記レンズ鏡筒を繰り出す繰出し機構と、を備えた繰出し機構付きカメラであって、
前記繰出し機構は、前記カメラ本体の外部に少なくとも一部が露出して往復動自在に配置された押しボタンと、前記押しボタンの押し込み動作に連動して前記レンズ鏡筒を繰り出し方向に押し出す揺動レバーと、前記レンズ鏡筒に対して沈胴途中から沈胴方向に付勢力を及ぼしかつ繰り出し途中から繰り出し方向に付勢力を及ぼす付勢部材と、を含む、
ことを特徴とする繰出し機構付きカメラ。
【請求項２】
前記カメラ本体は、その内部において、前記レンズ鏡筒を往復動自在に支持するユニットベースを含み、
前記レンズ鏡筒は、光軸に垂直な方向に突出した突出部を有し、
前記押しボタンは、前記ユニットベースに対して光軸方向に往復動自在に支持され、
前記揺動レバーは、前記ユニットベースに対して光軸に垂直な支軸回りに揺動自在に支持されると共に、その一端部が前記押しボタンに連結され、その他端部が前記突出部に対して光軸方向の後方側から離脱可能に係合するように形成され、
前記付勢部材は、一端部が前記突出部に掛止され、他端部が前記ユニットベースに掛止されたトグルバネである、
ことを特徴とする請求項１に記載の繰出し機構付きカメラ。
【請求項３】
前記押しボタンを押し込む前の休止位置に押し戻す戻しバネを含む、
ことを特徴とする請求項２に記載の繰出し機構付きカメラ。
【発明の詳細な説明】
【技術分野】
【０００１】
本発明は、撮影時にレンズ鏡筒を光軸方向の前方に向けて繰り出すための繰出し機構を備えた繰出し機構付きカメラに関し、特に、レンズ、絞り部材、シャッタ部材等の種々の機能部品を収容したレンズ鏡筒を繰り出すための繰出し機構を備えた繰出し機構付きカメラに関する。
【背景技術】
【０００２】
従来のカメラとしては、カメラ本体（前カバー、後カバー等）、撮影の際にカメラ本体から光軸方向に繰り出すレンズ鏡筒、カメラ本体に設けられたフラッシュ，フラッシュ受光窓，及び被写界輝度を測光する測光部、レンズ鏡筒内に設けられた絞り部材及びシャッタ部材（シャッタ羽根）並びに絞り部材を所定の絞り位置に保持するクリックレバー、カメラ本体の上面に回動自在に設けられた絞り設定操作子、絞り部材と絞り設定操作子とを機械的に連結すると共に絞り設定操作に応じて絞り部材を所定の絞り位置に移動させる連結部材等を備え、撮影時には、操作者が指等で沈胴状態にあるレンズ鏡筒の先端部を掴んでカメラ本体から引き出すことで繰り出し状態とし、絞り設定操作子を適宜回転させて、所定の絞り値を設定し、一方、非撮影時には、操作者が指等でレンズ鏡筒を押し込んで沈胴状態とし、絞り部材は所定開口の絞り値に復帰すると共に絞り設定操作子は絞り部材を所定開口の絞り位置に設定する位置又は姿勢に復帰するように構成されたものが知られている（例えば、特許文献１を参照）。
しかしながら、このカメラにおいては、撮影時においては、操作者がレンズ鏡筒の先端部を指等で直接掴んで引き出すことにより繰り出し状態にするものであるため、沈胴状態においてレンズ鏡筒の先端部がカメラ本体よりも僅かに突出するように構成する（例えば、レンズ鏡筒の先端部に把持用の鍔部を設ける）必要があり、又、操作者がレンズ鏡筒の先端部を掴むのも容易ではなく繰り出し操作自体も面倒であった。
【０００３】
また、他のカメラとしては、レンズ鏡筒を常時繰り出す側に付勢するスプリング、スプリングを圧縮しつつレンズ鏡筒を沈胴させた状態で、レンズ鏡筒の一部を掛止してレンズ鏡筒を沈胴位置に保持するロック手段（ロック解除ボタン、上下動アーム、上下動アームにリンク結合されると共に揺動端部がレンズ鏡筒の一部に係合する係合板、係合板の揺動範囲を規定するストッパ部材等）を採用し、レンズ鏡筒を繰り出させるときは、ロック解除ボタンを押して、係合板によりロックを解除することで、スプリングの付勢力によりレンズ鏡筒を繰り出し状態とするものが知られている（例えば、特許文献２を参照）。
しかしながら、このカメラにおいては、スプリングの付勢力によりレンズ鏡筒を常時繰り出し方向に付勢する構成となっているため、外部からの衝撃力等により係合板によるロックが外れると、レンズ鏡筒が勝手に繰り出す虞があった。
【先行技術文献】
【特許文献】
【０００４】
【特許文献１】特開２００２−３５０９５４号公報
【特許文献２】特開平１０−２４８０２９号公報
【発明の概要】
【発明が解決しようとする課題】
【０００５】
本発明は、上記の事情に鑑みて成されたものであり、その目的とするところは、構造の簡素化、部品点数の削減、低コスト化、小型化、組み付け作業の容易化等を図りつつ、レンズ鏡筒の繰り出し操作の容易化、操作性の向上、機能上の信頼性の向上等を図れ、繰出し操作において新たな感触が得られる繰出し機構付きカメラを提供することにある。
【課題を解決するための手段】
【０００６】
本発明の繰出し機構付きカメラは、外輪郭を画定するカメラ本体と、カメラ本体に対してレンズの光軸方向に繰り出し及び沈胴自在に支持されたレンズ鏡筒と、撮影時にレンズ鏡筒を繰り出す繰出し機構と、を備えた繰出し機構付きカメラであって、上記繰出し機構は、カメラ本体の外部に少なくとも一部が露出して往復動自在に配置された押しボタンと、押しボタンの押し込み動作に連動してレンズ鏡筒を繰り出し方向に押し出す揺動レバーと、レンズ鏡筒に対して沈胴途中から沈胴方向に付勢力を及ぼしかつ繰り出し途中から繰り出し方向に付勢力を及ぼす付勢部材を含む、ことを特徴としている。
この構成によれば、レンズ鏡筒が付勢部材により付勢されて沈胴位置にある状態において、押しボタンを操作者が押し込むと、その押し込み動作に連動して、揺動レバーが回転しつつレンズ鏡筒を繰り出し方向に所定量だけ押し出し（繰り出させ）、レンズ鏡筒の繰り出し途中から、付勢部材がレンズ鏡筒を繰り出し方向に付勢し、レンズ鏡筒は繰り出し位置に完全に繰り出されて保持される。尚、レンズ鏡筒を沈胴状態に戻す場合は、操作者がレンズ鏡筒の先端部を押し込むことにより行われる。
このように、押しボタン、揺動レバー、付勢部材を含む繰出し機構を採用したことにより、構造の簡素化、部品点数の削減、低コスト化、小型化、組み付け作業の容易化、操作性及び機能上の信頼性の向上等を達成しつつ、レンズ鏡筒の繰り出し操作を容易に行うことができ、又、繰出し操作において新たな感触を得ることができる。
【０００７】
上記構成において、カメラ本体は、その内部において、レンズ鏡筒を往復動自在に支持するユニットベースを含み、レンズ鏡筒は、光軸に垂直な方向に突出した突出部を有し、押しボタンは、ユニットベースに対して光軸方向に往復動自在に支持され、揺動レバーは、ユニットベースに対して光軸に垂直な支軸回りに揺動自在に支持されると共にその一端部が押しボタンに連結されかつその他端部が突出部に対して光軸方向の後方側から離脱可能に係合するように形成され、付勢部材は、一端部が突出部に掛止されかつ他端部がユニットベースに掛止されたトグルバネである、構成を採用することができる。
この構成によれば、レンズ鏡筒がトグルバネにより付勢されて沈胴位置にある状態において、押しボタンを操作者が押し込むと、その押し込み動作に連動して、揺動レバーが回転して光軸方向の後方側からレンズ鏡筒の突出部に係合して繰出し方向に所定量だけ押し出し（繰り出させ）、レンズ鏡筒の繰り出し途中から、トグルバネがレンズ鏡筒を繰り出し方向に付勢し、レンズ鏡筒は繰り出し位置に完全に繰り出されて保持される。
このように、付勢部材としてトグルバネを採用し、カメラ本体内に固定されると共にレンズ鏡筒を支持するユニットベースに対して、繰出し機構（押しボタン、揺動レバー、トグルバネ）を設けるため、レンズ鏡筒、繰出し機構等をユニットベースに予め組み付けてモジュール化することができる。
【０００８】
上記構成において、押しボタンを押し込む前の休止位置に押し戻す戻しバネを含む、構成を採用することができる。
この構成によれば、押しボタンを押し込んでレンズ鏡筒の繰り出し動作を行った後に、押しボタンの押し込みを解放すると、戻しバネにより押しボタンは休止位置に戻され、押しボタンの戻り動作に連動して、揺動レバーは逆向きに回転しレンズ鏡筒の突出部から離脱して元の休止位置に戻る一方で、レンズ鏡筒はトグルバネの付勢力により繰り出し位置に保持される。
【発明の効果】
【０００９】
上記構成をなす繰出し機構付きカメラによれば、構造の簡素化、部品点数の削減、低コスト化、小型化、組み付け作業の容易化、レンズ鏡筒の繰り出し操作の容易化、操作性の向上、機能上の信頼性の向上等を達成でき、繰出し操作において新たな感触が得られる繰出し機構付きカメラを提供することができる。
【図面の簡単な説明】
【００１０】
【図１】本発明に係る繰出し機構付きカメラの一実施形態を示すものであり、（ａ）はレンズ鏡筒が沈胴した状態を示す外観斜視図であり、（ｂ）はレンズ鏡筒が繰り出した状態を示す外観斜視図である。
【図２】図１に示す繰出し機構付きカメラの分解斜視図である。
【図３】図１に示す繰出し機構付きカメラ内に配置されるユニットベースを示す（レンズ鏡筒が沈胴した状態の）外観斜視図である。
【図４】図３に示すユニットベースの断面図である。
【図５】図１に示す繰出し機構付きカメラ内に配置されるユニットベースを示す（レンズ鏡筒が繰り出した状態の）外観斜視図である。
【図６】図５に示すユニットベースの断面図である。
【図７】図１に示す繰出し機構付きカメラに含まれるレンズ鏡筒の（付勢部材を省略した）繰出し機構を示す分解斜視図である。
【図８】図１に示す絞り機構付きカメラに含まれるレンズ鏡筒を示すものであり、（ａ）はレンズ鏡筒の斜視図であり、（ｂ）はレンズ鏡筒の正面図である。
【図９】図８に示すレンズ鏡筒の（外筒部を省略した）分解斜視図である。
【図１０】図１に示す繰出し機構付きカメラに含まれる手動操作環、絞り部材、歯車列、クリック機構、及び復帰バネを背面側から見た斜視図である。
【図１１】図１に示す繰出し機構付きカメラ内に配置されるユニットベース（一部を省略）及び手動操作環の復帰バネを示すものであり、レンズ鏡筒が沈胴した状態を示す斜視図である。
【図１２】ユニットベースにおけるレンズ鏡筒と繰出し機構の関係を示すものであり、レンズ鏡筒が沈胴した状態を示す側面図である。
【図１３】ユニットベースにおけるレンズ鏡筒と繰出し機構の関係を示すものであり、レンズ鏡筒が繰出し途中の状態を示す側面図である。
【図１４】ユニットベースにおけるレンズ鏡筒と繰出し機構の関係を示すものであり、レンズ鏡筒が繰出した状態を示す側面図である。
【発明を実施するための形態】
【００１１】
以下、本発明の実施形態について、添付図面を参照しつつ説明する。
この実施形態に係る繰出し機構付きカメラは、インスタント写真用のフィルムユニットが装填されるインスタントカメラであり、図１及び図２に示すように、外輪郭を画定するカメラ本体１０、カメラ本体１０内に配置されて固定されるユニットベース２０、ユニットベース２０に支持されたレンズ鏡筒ＬＵ（鏡筒本体４０、絞り部材５０，歯車列６０，クリック機構７０，補助クリック機構８０等を含む）、撮影時にレンズ鏡筒ＬＵを光軸Ｌ方向の前方に向けて繰り出す繰出し機構３０、カメラ本体１０の外部に取り付けられた手動操作環９０、ユニットベース２０に組み付けられるファインダユニットＦＵ、光学ユニットＯＵ及びフラッシュＦを実装してカメラ本体１０内に配置される回路基板ＣＢ等を備えている。
【００１２】
カメラ本体１０は、図１及び図２に示すように、手動操作環９０を回動自在に支持する前側カバー１１、前側カバー１１に着脱自在に結合される後側カバー１２、後側カバー１２に着脱自在に結合されるバッテリカバー１３により構成されており、ファインダ窓１０ａ、レリーズボタンＲＢ用の開口１０ｂ、フラッシュ窓１０ｃ、受光窓１０ｄ，１０ｅ、フィルムユニットの排出口１０ｆ、繰出し機構３０に含まれる押しボタン３１を露出させてその往復動を許容するガイド孔１０ｇ等を備えている。
前側カバー１１は、手動操作環９０をバヨネット構造（凹凸嵌合及び回転連結構造）により嵌め込んで光軸Ｌ回りに回動自在に支持すると共に、図９に示す絞り部材５０の複数（５つ）の異なる絞り開口５２がそれぞれ光軸Ｌ上に臨む位置にあるときに対応する絞り位置指標１１ｂ，１１ｃ，１１ｄ，１１ｅ，１１ｆ、手動操作環９０を絞り設定範囲内に回転規制する規制壁（不図示）等を備えている。
【００１３】
ユニットベース２０は、カメラ本体１０の内部に固定されるものであり、図３ないし図７に示すように、略矩形のベース部２１、ベース部２１の前側に結合される筒状のバレル部２２等により構成されており、光軸Ｌ方向に繰り出し及び沈胴自在に支持されたレンズ鏡筒ＬＵ、レンズ鏡筒ＬＵを光軸Ｌ方向（の前方）に繰り出すための繰り出し機構３０等を保持している。
バレル部２２は、図３ないし図７及び図１１に示すように、レンズ鏡筒ＬＵ（の鏡筒ベース４４）の突出部４４ｂを光軸Ｌ方向にガイドする複数のガイド溝２２ａ、付勢部材としてのトグルバネ３５の他端部３５ｂを掛止する掛止突起２２ｂ、揺動レバー３４を回動自在に支持する支軸２２ｃ、レバーカバー３６をネジにより締結する３つのボス部２２ｄ、ガイドシャフト３２の端部を嵌め込む嵌合穴２２ｅ、揺動レバー３４の後方側への回転範囲を規制する規制壁２２ｆ（図７参照）、レンズ鏡筒ＬＵの光軸Ｌ方向における沈胴位置を規定する沈胴側ストッパ２２ｇ（図４参照）、レンズ鏡筒ＬＵの光軸Ｌ方向における繰り出し位置を規定する繰り出し側ストッパ２２ｈ（図６参照）、復帰バネ１００の伸長方向を変換する方向変換部２２ｉ（図１１参照）、クリック機構７０（のクリックレバー７１）にカム作用を及ぼすカム部２２ｊ（図７参照）等を備えている。
【００１４】
繰出し機構３０は、図３、図５、図７に示すように、操作者が押し込み操作を行う押しボタン３１、押しボタン３１を光軸Ｌ方向に往復動自在にガイドするガイドシャフト３２、ガイドシャフトイ３２の周りに配置されて押しボタン３１を押し込む前の休止位置に戻す付勢力を及ぼす戻しバネ３３、押しボタン３１に連動して光軸Ｌに垂直な支軸２２ｃ回りに揺動する揺動レバー３４、レンズ鏡筒ＬＵに対して沈胴途中から沈胴方向に付勢力を及ぼしかつ繰り出し途中から繰り出し方向に付勢力を及ぼす付勢部材としてのトグルバネ３５、揺動レバー３４を脱落しないように規制するレバーカバー３６等を備えている。
【００１５】
押しボタン３１は、図７に示すように、揺動レバー３４のＵ字状連結溝３４ｂに連結される連結ロッド部３１ａ、ガイドシャフト３２のガイド部３２ｃを受け入れると共に戻しバネ３３の端部を当接させる凹状端部３１ｂを有し、前側カバー１１のガイド孔１０ｇ及びガイドシャフト３２により、光軸Ｌ方向に往復動自在にガイドされると共に抜け落ちないように組み付けられるように形成されている。
そして、押しボタン３１は、ユニットベース２０に対して光軸Ｌ方向に往復動自在に支持され、操作者が指等で光軸Ｌ方向の前方側から押しボタン３１を押し込むことにより、レンズ鏡筒ＬＵの繰り出し操作を行うことができるようになっている。
【００１６】
ガイドシャフト３２は、図７に示すように、ユニットベース２０（のバレル部２２）の嵌合穴２２ｅに光軸Ｌ方向の前方側から嵌合される嵌合部３２ａ、鍔部３２ｂ、ガイド部３２ｃを有し、光軸Ｌ方向に伸長するように形成されている。
そして、ガイドシャフト３２は、ユニットベース２０（のバレル部２２）の嵌合穴２２ｅに対して光軸Ｌ方向の前方側から組み付けられ、その周りに戻しバネ３３が圧縮しつつ組み付けられ（嵌め込まれ）、さらに前方側から押しボタン３１が組み付けられるようになっている。
【００１７】
戻しバネ３３は、図７に示すように、圧縮型のコイルバネであり、ガイドシャフト３２の周りでかつユニットベース２０（のバレル部２２）と押しボタン３１との間に所定の圧縮代に圧縮されつつ組み込まれて、押しボタン３１を押し込む前の休止位置に押し戻すべく、光軸Ｌ方向の前方側（繰り出し側）に向けて付勢力を及ぼすように形成されている。
【００１８】
揺動レバー３４は、図７に示すように、ユニットベース２０（のバレル部２２）の支軸２２ｃに嵌め込まれて支持される円孔３４ａ、押しボタン３１の連結ロッド部３１ａに連結される一端部としてのＵ字状連結溝３４ｂ、レンズ鏡筒ＬＵの突出部４４ｂに対して光軸Ｌ方向の後方側から離脱可能に係合する他端部としての係合部３４ｃを備えるように形成されている。
そして、揺動レバー３４は、ユニットベース２０に対して光軸Ｌに垂直な支軸２２ｃ回りに揺動自在に支持されると共に、その一端部（Ｕ字状連結溝３４ｂ）が押しボタン３１（の連結ロッド部３１ａ）に連結され、その他端部（係合部３４ｃ）がレンズ鏡筒ＬＵの突出部４４ｂ（図３及び図５参照）に対して光軸Ｌ方向の後方側から離脱可能に係合するようになっている。
【００１９】
トグルバネ３５は、図３及び図５に示すように、コイル型の捩りバネであり、その一端部３５ａがレンズ鏡筒ＬＵの突出部４４ｂに掛止され、その他端部３５ｂがバレル部２２の掛止突起２２ｂに掛止されている。
そして、トグルバネ３５は、レンズ鏡筒ＬＵに対して、沈胴途中から沈胴方向に付勢力を及ぼすと共に図３に示すように沈胴位置にあるときレンズ鏡筒ＬＵを沈胴状態に保持するように付勢力を及ぼし、一方、繰り出し途中から繰り出し方向に付勢力を及ぼすと共に図５に示すように繰り出し位置にあるときレンズ鏡筒ＬＵを繰り出し状態に保持するように付勢力を及ぼすようになっている。
【００２０】
レバーカバー３６は、図３、図５、図７に示すように、揺動レバー３４が支軸２２ｃに嵌め込まれて支持された状態で揺動レバー３４を外側から覆うように配置されて、ネジ等をバレル部２２（のボス部２２ｄ）に締結することで、ユニットベース２０に結合されるように形成されている。
これによれば、揺動レバー３４をユニットベース２０の支軸２２ｃに通して組み付け、ガイドシャフト３２をユニットベース２０に組み付け、戻しバネ３３を圧縮しつつ連結ロッド部３１ａを揺動レバー３４のＵ字状連結溝３４ｂに嵌め込むようにして押しボタン３１をガイドシャフト３２の前方側から組み付け、その後、レバーカバー３６をユニットベース２０に組み付ける（ネジ等を用いて締結する）ことにより、揺動レバー３４は規制壁２２ｆにより後方側への回転が規制されて、繰出し機構３０の全ての部品がユニットベース２０に対して脱落しないように、容易に組み付けられる。
【００２１】
すなわち、繰出し機構３０においては、図１（ａ）、図３、図４に示すようにレンズ鏡筒ＬＵが沈胴位置にある（レンズ鏡筒ＬＵはユニットベース２０の沈胴側ストッパ２２ｇに当接しトグルバネ３５の付勢力により沈胴位置に停止して保持されている）状態から、操作者が押しボタン３１を押し込むと、その押し込み動作に連動して、揺動レバー３４が一方向に回転しつつその係合部３４ｃが突出部４４ｂを介してレンズ鏡筒ＬＵを光軸Ｌ方向の前方（繰り出し方向）に向けて所定量だけ押し出し（繰り出させ）、レンズ鏡筒ＬＵの繰り出し途中から、トグルバネ３５の（逆向きに切り替わった）付勢力により、図１（ｂ）、図５、図６に示すように、レンズ鏡筒ＬＵは繰り出し位置に完全に繰り出されて保持される。
ここで、操作者が押しボタン３１から指を離すと、戻しバネ３３の付勢力により押しボタン３１は元の休止状態に戻ると同時に、揺動レバー３４は押しボタン３１に連動して逆向きに回転してレンズ鏡筒ＬＵの突出部４４ｂから離脱する。これにより、レンズ鏡筒ＬＵの繰り出し動作が完了する。
一方、レンズ鏡筒ＬＵを沈胴位置に戻す場合は、操作者が指等でレンズ鏡筒ＬＵを直接押し込むことにより、トグルバネ３５の付勢力の向きが切り替わり、レンズ鏡筒ＬＵは沈胴位置に位置付けられて保持されることになる。
このように、押しボタン３１、揺動レバー３４、付勢部材としてのトグルバネ３５を含む繰出し機構３０を採用したことにより、構造の簡素化、部品点数の削減、低コスト化、小型化、組み付け作業の容易化、操作性及び機能上の信頼性の向上等を達成しつつ、レンズ鏡筒ＬＵの繰り出し操作を容易に行うことができ、又、繰出し操作において新たな感触を得ることができる。
【００２２】
レンズ鏡筒ＬＵは、図８及び図９に示すように、鏡筒本体４０、絞り部材５０、歯車列６０の一部、クリック機構７０（クリックレバー７１及び付勢バネ７２）、補助クリック機構８０（係合ピン８１、付勢バネ８２、取付カバー８３）、シャッタ部材ＳＭ１，シャッタ歯車ＳＭ２，及びシャッタバネＳＭ３を含み鏡筒ベース４４に設けられたシャッタ機構ＳＭ、外筒部４５の前側に設けられたバリヤ機構ＢＭ等を備えている。
鏡筒本体４０は、図９に示すように、レンズＧ１を押えて固定するレンズ押え４１、レンズ押え４１を前側から組み込む前側カバー４２、レンズＧ２を押えて固定するレンズ押え４３、レンズ押え４３を後側から組み込む鏡筒ベース４４、鏡筒ベース４４の周りに配置される外筒部４５、鏡筒ベース４４の内部に配置される地板４６等により構成されている。
【００２３】
鏡筒ベース４４は、図８及び図９に示すように、光を通す開口４４ａ、ユニットベース２０に形成されたガイド溝２２ａに挿入されて光軸Ｌ方向にガイドされる突出部４４ｂ、掛止部４４ｃ、掛止部４４ｄ、筒状部４４ｅ等を備えている。
地板４６は、図９に示すように、光を通す開口４６ａ、回転軸４６ｂ、支軸４６ｃ等を備えている。
絞り部材５０は、図９及び図１０に示すように、円盤状に形成されて、地板４６の回転軸４６ｂ回りに回動自在に支持され、回転軸４６ｂを通す中心孔５１ａを画定する被動歯車５１、回転軸４６ｂを中心に周方向に配列された複数の絞り開口５２、複数の絞り開口５２にそれぞれ対応して外周に凹状に形成されクリックレバー７１の係合部７１ａが離脱可能に係合し得る複数の被係合部５３等を備えている。
歯車列６０は、図３、図５、図９ないし図１０に示すように、レンズ鏡筒ＬＵと一体的に光軸Ｌ方向に移動するべく鏡筒ベース４４及び地板４６に支持された移動歯車６１，６２，６３、ユニットベース２０に保持されて光軸Ｌ方向に長尺な円柱状をなす長尺歯車６４により構成されている。
そして、手動操作環９０を回動させると、その駆動歯列９５に噛合した長尺歯車６４が回動し、長尺歯車６４に噛合した移動歯車６１及び移動歯車６２，６３を介して被動歯車５１が回動し、被動歯車５１と一体的に絞り部材５０が回転軸４６ｂ回りに回動するようになっている。
【００２４】
クリック機構７０は、図９に示すように、鏡筒ベース４４及び前側カバー４２に設けられたクリックレバー７１及び付勢バネ７２により構成されている。
クリックレバー７１は、絞り部材５０の被係合部５３に離脱可能に係合し得るローラ状の係合部７１ａ、付勢バネ７２の一端部７２ａを掛止する掛止部７１ｂ、ユニットベース２０のカム部２２ｊ（図７参照）に係合し得るフォロワ部７１ｃを備えている。
付勢バネ７２は、捩りバネであり、その一端部７２ａがクリックレバー７１の掛止部７１ｂに掛止され、その他端部７２ｂが鏡筒ベース４４の掛止部４４ｃに掛止され、クリックレバー７１の係合部７１ａが絞り部材５０の被係合部５３に係合する向きに、クリックレバー７１を回転付勢するように形成されている。
そして、クリックレバー７１は、レンズ鏡筒ＬＵと一体的に光軸Ｌ方向に移動するべくレンズ鏡筒ＬＵ内に設けられて光軸Ｌに垂直な面内で揺動すると共に、レンズ鏡筒ＬＵが図５に示す繰り出し状態にあるとき絞り部材５０を所定の絞り位置にクリック保持し、図３に示す沈胴位置に沈胴することにより、カム部２２ｊによりカム作用を受けて、付勢バネ７２の付勢力に抗しつつ、絞り部材５０から離脱してクリック保持を解除するようになっている。
【００２５】
補助クリック機構８０は、図８及び図９に示すように、鏡筒ベース４４の筒状部４４ｅに対して光軸Ｌ方向に可動に収容された係合ピン８１、係合ピン８１を光軸Ｌ方向の繰り出し側に向けて付勢する付勢バネ８２、付勢バネ８２を圧縮した状態にて取り付ける取付カバー８３により構成されている。
そして、補助クリック機構８０は、レンズ鏡筒ＬＵが図５に示す繰り出し位置にあるとき、係合ピン８１が付勢バネ８２の付勢力を受けながら図１０に示す手動操作環９０の複数の被係合部９６ａ〜９６ｅの一つに係合して手動操作環９０をその絞り位置に（絞り位置指標９４が絞り位置指標１１ｂ〜１１ｆの一つに一致する位置に）クリック保持し、一方、レンズ鏡筒ＬＵが図３に示す沈胴位置に沈胴することにより、手動操作環９０から離脱してクリック保持を解除するようになっている。
【００２６】
手動操作環９０は、図１、図１０及び図１１に示すように、円環状に形成されており、復帰バネ１００を伸縮自在に円弧状に収容する凹部９１、復帰バネ１００の一端部１０１を掛止する掛止突起９２、復帰バネ１００の他端部１０２をユニットベース２０の方向変換部２２ｉを経由して掛止部４４ｄに掛止した状態でその回動を許容する円弧状の貫通孔９３、絞り位置指標９４（図１（ａ）参照）、駆動歯列９５、補助クリック機構８０の係合ピン８１が係合し得る複数（５つ）の被係合部９６ａ〜９６ｅ等を備えている。
復帰バネ１００は、光軸Ｌに垂直な平面上において手動操作環９０の凹部９１に収容されると共にその一端部９１が手動操作環９０の掛止突起９２に掛止され、その途中領域がユニットベース２０に設けられた方向変換部２２ｉにより屈曲されて光軸Ｌ方向に伸長するように方向変換されると共にその他端部１０２がレンズ鏡筒ＬＵ（の鏡筒ベース４４の掛止部４４ｄ）に掛止された引張り型のコイルバネである。
そして、レンズ鏡筒ＬＵが繰り出し状態にあるとき、操作者が手動操作環９０を指等で直接掴んで光軸Ｌ回りに回転させることにより、駆動歯列９５→歯車列６０（長尺歯車６４→移動歯車６１→移動歯車６２→移動歯車６３）→被動歯車５１を介して、絞り部材５０が適宜所定の絞り位置に位置付けられ、一方、レンズ鏡筒ＬＵを沈胴させると、クリック機構７０及び補助クリック機構８０によるクリック保持が解除されると共に、復帰バネ１００により、手動操作環９０が初期位置（絞り位置指標９４が絞り位置指標１１ｂに一致する位置）に復帰して、絞り部材５０が所定の絞り値（頻繁に使用される絞り値）を設定する位置に位置付けられるようになっている。
【００２７】
次に、上記繰出し機構付きカメラの動作について説明する。
先ず、繰出し機構付きカメラにおいて、撮影しない（非撮影の）休止状態において、図１（ａ）及び図３に示すように、レンズ鏡筒ＬＵはカメラ本体１０内に沈胴した状態にあり、レンズＧ１はバリヤ機構ＢＭにより閉塞されている。
この沈胴状態において、図１２に示すように、レンズ鏡筒ＬＵはトグルバネ３５の付勢力により沈胴位置に付勢されて位置付けられ、押しボタン３１は戻しバネ３３の付勢力により押し戻されて休止位置（カメラ本体１０から光軸Ｌ方向の前方側に突出した位置）に位置付けられ、揺動レバー３４は押しボタン３１に連動して係合部３４ｃが光軸Ｌ方向の後方に後退して突出部４４ｂから離脱した休止位置に位置付けられている。
尚、この沈胴状態において、クリックレバー７１は、付勢バネ７２の付勢力に抗してカメラ本体１０（のバレル部２２のカム部２２ｊ）からカム作用を受けて絞り部材５０から離脱した状態にあり、係合ピン８１は手動操作環９０（の被係合部９６ａ〜９６ｅ）から離脱した状態にあり、手動操作環９０は復帰バネ１００の付勢力により初期位置に復帰させられて位置決めされ、絞り位置指標９４がカメラ本体１０の絞り位置指標１１ｂに一致している。
【００２８】
続いて、撮影を行う際には、操作者が押しボタン９１を押し込むと、図１３に示すように、その押し込み動作に連動して、揺動レバー３４が一方向（図１３中の反時計回り）に回転しつつその係合部３４ｃが突出部４４ｂに係合してレンズ鏡筒ＬＵを光軸Ｌ方向の前方（繰り出し方向）に向けて所定量だけ押し出し（繰り出させ）、トグルバネ３５は、レンズ鏡筒ＬＵの繰り出し途中からその付勢力が逆向き（繰り出し方向に付勢力を及ぼすように）切り替わる。
そして、レンズ鏡筒ＬＵは、トグルバネ３５の切り替わった付勢力により、図１４に示すように、カメラ本体１０から完全に繰り出してその繰り出し位置に保持される。
ここで、操作者が押しボタン３１から指を離すと、戻しバネ３３の付勢力により押しボタン３１は元の休止状態に戻ると同時に、揺動レバー３４は図１２に示すように押しボタン３１に連動して逆向きに回転してレンズ鏡筒ＬＵの突出部４４ｂから離脱する。これにより、レンズ鏡筒ＬＵの繰り出し動作が完了する。
尚、この繰り出し状態において、クリックレバー７１は、カメラ本体１０（のバレル部２２のカム部２２ｊ）のカム作用から解放され付勢バネ７２の付勢力により絞り部材５０（の被係合部５３）に係合してクリック保持した状態にあり、係合ピン８１は手動操作環９０（の被係合部９６ａ〜９６ｅ）に係合してクリック保持した状態にある。
【００２９】
一方、レンズ鏡筒ＬＵを沈胴位置に戻す場合は、操作者が指等でレンズ鏡筒ＬＵを直接押し込むことにより、沈胴途中からトグルバネ３５の付勢力の向きが切り替わり、レンズ鏡筒ＬＵは沈胴位置に位置付けられて保持されることになる。
尚、レンズ鏡筒ＬＵの沈胴動作に連動して、クリックレバー７１は、付勢バネ７２の付勢力に抗してカメラ本体１０（のバレル部２２のカム部２２ｊ）からカム作用を受けて絞り部材５０から離脱してクリック保持を解除し、係合ピン８１は手動操作環９０（の被係合部９６ａ〜９６ｅ）から離脱してクリック保持を解除し、手動操作環９０は復帰バネ１００の付勢力により初期位置に復帰させられて位置決めされ、絞り位置指標９４がカメラ本体１０の絞り位置指標１１ｂに一致する。
【００３０】
このように、押しボタン３１、揺動レバー３４、付勢部材としてのトグルバネ３５を含む繰出し機構３０を採用したことにより、構造の簡素化、部品点数の削減、低コスト化、小型化、組み付け作業の容易化、操作性及び機能上の信頼性の向上等を達成しつつ、レンズ鏡筒ＬＵの繰り出し操作を容易に行うことができ、又、繰出し操作において新たな感触を得ることができる。
【００３１】
上記実施形態においては、繰出し機構として、光軸Ｌ方向に往復動自在に支持された押しボタン３１、光軸Ｌに垂直な支軸回りに揺動自在な揺動レバー３４を採用した場合を示したが、これに限定されるものではなく、その他の向きに往復動する押しボタン、その他の方向を向く支軸回りに揺動自在な揺動レバーを採用してもよい。
上記実施形態においては、レンズ鏡筒ＬＵに対して沈胴途中から沈胴方向に付勢力を及ぼしかつ繰り出し途中から繰り出し方向に付勢力を及ぼす付勢部材として、コイル型の捩りバネを採用した場合を示したが、これに限定されるものではなく、同様の作用をなすものであればその他の付勢手段を採用してもよい。
上記実施形態においては、繰出し機構３０を、レンズ鏡筒ＬＵを支持するユニットベース２０に設けた場合を示したが、これに限定されるものではなく、カメラ本体内の配置される各々の部材に別々に設けてもよい。
上記実施形態においては、絞り機構（手動操作環９０、復帰バネ１００、絞り部材５０、歯車列６０等）、クリック機構７０、補助クリック機構８０等を備えた構成において、レンズ鏡筒ＬＵの繰出し機構３０を採用した場合を示したが、これに限定されるものではなく、これらの機構を備えないカメラにおいて、繰出し機構を採用してもよい。
【産業上の利用可能性】
【００３２】
以上述べたように、本発明に係る繰出し機構付きカメラは、構造の簡素化、部品点数の削減、低コスト化、小型化、組み付け作業の容易化、レンズ鏡筒の繰り出し操作の容易化、操作性の向上、機能上の信頼性の向上等を達成しつつ、繰出し操作において新たな感触が得られるため、インスタントカメラに限らず、繰出しを要するレンズ鏡筒を備えるものであれば、その他のカメラ、光学機器等においても有用である。
【符号の説明】
【００３３】
Ｌ  光軸
ＬＵ  レンズ鏡筒
ＣＢ  回路基板
ＯＵ  光学ユニット
ＦＵ  ファインダユニット
Ｆ  フラッシュ
ＲＢ  レリーズボタン
１０  カメラ本体
１０ａ  ファインダ窓
１０ｂ  開口
１０ｃ  フラッシュ窓
１０ｄ，１０ｅ  受光窓
１０ｆ  排出口
１０ｇ  ガイド孔
１１  前側カバー
１１ｂ，１１ｃ，１１ｄ，１１ｅ，１１ｆ  絞り位置指標
１２  後側カバー
１３  バッテリカバー
２０  ユニットベース
２１  ベース部
２２  バレル部
２２ａ  ガイド溝（ガイド機構）
２２ｂ  掛止突起
２２ｃ  支軸
２２ｄ  ボス部
２２ｅ  嵌合穴
２２ｆ  規制壁
２２ｇ  沈胴側ストッパ
２２ｈ  繰り出し側ストッパ
２２ｉ  方向変換部
２２ｊ  カム部
３０  繰出し機構
３１  押しボタン
３１ａ  連結ロッド部
３１ｂ  凹状端部
３２  ガイドシャフト
３２ａ  嵌合部
３２ｂ  鍔部
３２ｃ  ガイド部
３３  戻しバネ
３４  揺動レバー
３４ａ  円孔
３４ｂ  Ｕ字状連結溝（一端部）
３４ｃ  係合部（他端部）
３５  トグルバネ（付勢部材）
３５ａ  一端部
３５ｂ  他端部
３６  カバー
４０  鏡筒本体
４１  レンズ押え
Ｇ１  レンズ
４２  前側カバー
４３  レンズ押え
Ｇ２  レンズ
４４  鏡筒ベース
４４ａ  開口
４４ｂ  突出部
４４ｃ  掛止部
４４ｄ  掛止部
４４ｅ  筒状部
４５  外筒部
４６  地板
４６ａ  開口
４６ｂ  回転軸
４６ｃ  支軸
５０  絞り部材
５１  被動歯車
５２  絞り開口
５３  被係合部
６０  歯車列
６１，６２，６３  移動歯車
６４  長尺歯車
７０  クリック機構
７１  クリックレバー
７１ａ  係合部
７１ｂ  掛止部
７１ｃ  フォロワ部
７２  付勢バネ
７２ａ  一端部
７２ｂ  他端部
８０  補助クリック機構
８１  係合ピン
８２  付勢バネ
８３  取付カバー
９０  手動操作環
９１  凹部
９２  掛止突起
９３  貫通孔
９４  絞り位置指標
９５  駆動歯列
９６ａ，９６ｂ，９６ｃ，９６ｄ，９６ｅ  被係合部
１００  復帰バネ
１０１  一端部
１０２  他端部
【図１】
2014056009.tif 000003
【図２】
2014056009.tif 000004
【図３】
2014056009.tif 000005
【図４】
2014056009.tif 000006
【図５】
2014056009.tif 000007
【図６】
2014056009.tif 000008
【図７】
2014056009.tif 000009
【図８】
2014056009.tif 000010
【図９】
2014056009.tif 000011
【図１０】
2014056009.tif 000012
【図１１】
2014056009.tif 000013
【図１２】
2014056009.tif 000014
【図１３】
2014056009.tif 000015
【図１４】
2014056009.tif 000016
【手続補正書】
【提出日】平成24年11月9日(2012.11.9)
【手続補正１】
【補正対象書類名】図面
【補正対象項目名】全図
【補正方法】変更
【補正の内容】
【図１】
2014056009.tif 000017
【図２】
2014056009.tif 000018
【図３】
2014056009.tif 000019
【図４】
2014056009.tif 000020
【図５】
2014056009.tif 000021
【図６】
2014056009.tif 000022
【図７】
2014056009.tif 000023
【図８】
2014056009.tif 000024
【図９】
2014056009.tif 000025
【図１０】
2014056009.tif 000026
【図１１】
2014056009.tif 000027
【図１２】
2014056009.tif 000028
【図１３】
2014056009.tif 000029
【図１４】
2014056009.tif 000030